(57)【要約】【課題】壁の断熱性能を低下させないようにすることができる開口枠を提供する。【解決手段】壁１の開口部２の屋外側に配置される外枠材４と開口部２の屋内側に配置される内枠材５とで枠体３を構成する。外枠材４と内枠材５との間隙に保持される断熱材６とを備える。枠体３を通じて熱が壁１の屋内外に出入りするのを断熱材６によって少なくすることができる。【選択図】      図１
2004218382.tif 000002
【特許請求の範囲】
【請求項１】
壁の開口部の屋外側に配置される外枠材と開口部の屋内側に配置される内枠材とで枠体を構成し、外枠材と内枠材との間隙に保持される断熱材とを備えて成ることを特徴とする開口枠。
【請求項２】
凹凸嵌合により接続される複数枚のパネルを並べて上記の壁を形成すると共に一部の隣り合うパネルを間隔をおいて配置することによって上記の開口部を形成し、開口部に臨むパネルに嵌合するための嵌合凸部乃至嵌合凹部を枠体に設けて成ることを特徴とする請求項１に記載の開口枠。
【請求項３】
外枠材と内枠材をめっき鋼板で形成して成ることを特徴とする請求項１又は２に記載の開口枠。
【発明の詳細な説明】
【０００１】
【発明の属する技術分野】
本発明は、壁の開口部に窓や扉等を形成する際に用いる開口枠に関するものである。
【０００２】
【従来の技術】
従来より、壁の開口部に開口枠を取り付けると共にこの開口枠にガラス板等の板状の閉塞部材を嵌め込んで保持させることによって、窓や扉等を形成することが行われている（例えば、特許文献１参照）。
【０００３】
【特許文献１】
特開２０００−１４５２９７号公報（特許請求の範囲等）
【０００４】
【発明が解決しようとする課題】
しかし、特許文献１のものでは開口枠にほとんど断熱性がないために、開口枠の箇所を通じて壁の屋内外に熱が出入りする（ヒートブリッジ）ことになり、壁の断熱性能が損なわれるという問題があった。
【０００５】
本発明は上記の点に鑑みてなされたものであり、壁の断熱性能を低下させないようにすることができる開口枠を提供することを目的とするものである。
【０００６】
【課題を解決するための手段】
本発明の請求項１に係る開口枠Ａは、壁１の開口部２の屋外側に配置される外枠材４と開口部２の屋内側に配置される内枠材５とで枠体３を構成し、外枠材４と内枠材５との間隙に保持される断熱材６とを備えて成ることを特徴とするものであり、枠体３を通じて熱が壁１の屋内外に出入りするのを断熱材６によって少なくすることができ、壁１の断熱性能を低下させないようにすることができるものである。
【０００７】
本発明の請求項２に係る開口枠Ａは、請求項１に加えて、凹凸嵌合により接続される複数枚のパネル７を並べて上記の壁１を形成すると共に一部の隣り合うパネル７、７を間隔をおいて配置することによって上記の開口部２を形成し、開口部２に臨むパネル７に嵌合するための嵌合凸部９乃至嵌合凹部１１を枠体３に設けて成ることを特徴とするものであり、パネル７に嵌合凸部９乃至嵌合凹部１１を嵌合することによって、パネル７に対して枠体３を接続してその取付強度を高めることができ、壁１から脱落しにくくすることができるものである。
【０００８】
本発明の請求項３に係る開口枠Ａは、請求項１又は２に加えて、外枠材４と内枠材５をめっき鋼板で形成して成ることを特徴とするものであり、外枠材４と内枠材５をシンプルな形状とすることでめっき鋼板を用いて容易に加工することができ、アルミニウム製の開口枠に比べて材料費が安くて容易に製造することができて製造コストを抑えることができるものである。
【０００９】
【発明の実施の形態】
以下、本発明の実施の形態を説明する。
【００１０】
本発明の開口枠Ａは、外枠材４と内枠材５で構成される枠体３及び断熱材６とを備えて形成されている。外枠材４と内枠材５はともに亜鉛めっき鋼板等のめっき鋼板を曲げ加工するなどして形成されるものである。従って、アルミニウム製の開口枠に比べて、材料費が安く、鋳型を作製する必要もなくて容易に製造することができ、製造コストを抑えることができるものである。
【００１１】
外枠材４は屋外上部２０と屋外下部２１及び二つの屋外側部２２とで四角枠状に形成されている。屋外上部２０は図２に示すように、屋外側に向かって開口するように形成された断面略コ字形の屋外上部本体２３と、屋外上部本体２３の上部先端からほぼ鉛直上方に向かって突設された屋外挿入部２４と、屋外上部本体２３の下部先端からほぼ鉛直下方に向かって突設された上部係止部２５とを有して形成されている。また、上記の屋外挿入部２４の上端には屋内側に向かって突設される屋外支持部２４ａが設けられている。
【００１２】
外枠材４の屋外下部２１は図１に示すように、屋外側に向かって開口するように形成された断面略コ字形の屋外下部本体２６と、屋外下部本体２６の上部先端からほぼ鉛直上方に向かって突設された下部係止部２７と、屋外下部本体２６の下部先端からほぼ鉛直下方に向かって突設された覆い片２８とを有して形成されている。また、屋外下部本体２６の上部には上下に貫通する排水口２９が設けられている。
【００１３】
外枠材４の屋外側部２２は図３に示すように、矩形板状の屋外側部本体３０と、屋外側部本体３０の屋外側先端から外枠材４の内側に向かって突設された側部係止部３１と、屋外側部本体３０の屋内側先端から外枠材４の外側に向かって突設された屋外突出部３２とを有して形成されている。また、屋外側部本体３０には後述の排水経路９８と連通する排水孔８０が設けられている。
【００１４】
内枠材５は屋内上部４０と屋内下部４１及び二つの屋内側部４２とで四角枠状に形成されている。屋内上部４０は図２に示すように、屋内側に向かって開口するように形成された断面略コ字形の屋内上部本体４３と、屋内上部本体４３の上部先端からほぼ鉛直上方に向かって突設された屋内挿入部４４と、屋内上部本体４３の下部先端から屋内側に向かってほぼ水平に突設された上取付部４５と、上取付部４５の下面にビス等の固定具で取り付けられた断面略Ｌ字状の上押縁４６を有して形成されている。また、上記の屋内挿入部４４の上端には屋外側に向かって突設される屋内支持部４４ａが設けられている。また、屋内挿入部４４はその上下方向の略中央部で屋外側に向かって段状に曲げられており、屋内挿入部４４の上部の屋内側には凹段部４４ｂが形成されている。さらに、上取付部４５は屋内外方向の略中央部で上方に向かって段状に曲げられており、上取付部４５の屋内側先部は上取着部４５ａとして形成されている。
【００１５】
内枠材５の屋内下部４１は図１に示すように、屋内側に向かって開口するように形成された断面略コ字形の屋内下部本体４７と、屋内下部本体４７の上部先端から屋内側に向かってほぼ水平に突設された下取付部４８と、屋内下部本体４７の下部先端からほぼ鉛直下方に向かって突設された挟持片４９と、下取付部４８の上面にビス等の固定具で取り付けられた断面略Ｌ字状の下押縁５０とを有して形成されている。また、下取付部４８は屋内外方向の略中央部で下方に向かって段状に曲げられており、下取付部４８の屋内側先部は下取着部４８ａとして形成されている。
【００１６】
内枠材５の屋内側部４２は図３に示すように、矩形板状の屋内側部本体５１と、屋内側部本体５１の屋外側先端から内枠材５の外側に向かって突設された屋内突出部５２と、屋内側部本体５１の内面（内枠材５の内側面）にビス等の固定具で取り付けられた断面略Ｌ字状の側部押縁５３とを有して形成されている。
【００１７】
そして、本発明の開口枠Ａを形成するにあたっては、次のようにして行う。まず、外枠材４と内枠材５を対向配置する。次に、対向する屋外上部本体２３と屋内上部本体４３との間及び対向する屋外下部本体２６と屋内下部本体４７との間及び対向する屋外突出部３２と屋内突出部５２との間に断熱材６を充填する。また、屋外挿入部２４と屋内挿入部４４との間にも断熱材６を充填する。次に、屋外上部本体２３と屋内上部本体４３とを貫通するようにビス等の固定具を打ち込むと共に屋外下部本体２６と屋内下部本体４７とを貫通するようにビス等の固定具を打ち込むことによって、外枠材４と内枠材５を連結して枠体３を形成する。このようにして外枠材４と内枠材５からなる枠体３及び断熱材６が一体化された開口枠Ａを形成することができる。ここで、対向配置される屋外挿入部２４と屋内挿入部４４の上部とで開口枠Ａの枠体３の嵌合凸部９が形成されると共に、対向配置される覆い片２８と挟持片４９との間の空間が枠体３の嵌合凹部１１として形成されるものである。
【００１８】
上記のように屋外上部本体２３と屋内上部本体４３との間及び屋外下部本体２６と屋内下部本体４７との間及び屋外突出部３２と屋内突出部５２との間に充填して介在させる断熱材６としてはゴムや樹脂などで形成される断熱パッキン６０を用いることができる。この断熱パッキン６０は断熱性が高くて弾性を有するものである。また、屋外挿入部２４と屋内挿入部４４との間に充填する断熱材６としてはロックウールやグラスウールなどの無機繊維製断熱材６２あるいはウレタンフォームやフェノールフォームなどの樹脂製断熱材などを用いることができるが、これに限定されるものではなく、例えば、上記のような断熱パッキン６０を無機繊維製断熱材６２の代わりに用いてもよい。
【００１９】
そして、本発明の開口枠Ａは外枠材４と内枠材５の間において断熱材６が枠体３の全周に亘って配設されるものであり、これにより、壁１の開口部２に本発明の開口枠Ａを取り付けた場合に、枠体３（外枠材４と内枠材５）を通じて熱が壁１の屋内外に出入りするのを断熱材６によって少なくすることができるものであり、この結果、ヒートブリッジを切る（絶つ）ことができて開口部２を設けても壁１の断熱性能を低下させないようにすることができるものである。
【００２０】
以下に、本発明の開口枠Ａの施工方法について説明するが、まず、施工方法の一例として、本発明の開口枠Ａと閉塞部材１００とを予め一体化した後、これを多数枚のパネル７を順次縦横に並設して壁１を形成していく途中で施工する場合について説明する。
【００２１】
パネル７としては金属板で形成される表面板６５と裏面板６６の間に芯材６７を充填して形成される断熱パネルを用いることができる。表面板６５と裏面板６６としては亜鉛めっき鋼板やカルバリウム鋼板、塗装鋼板等を用いることができる。芯材６７としてはロックウールやグラスウールあるいはウレタンフォームやフェノールフォームなどを用いることができる。また、パネル７の下端には嵌合凹部８がパネル７の幅方向の全長に亘って形成されていると共にパネル７の上端には嵌合凸部１０がパネル７の幅方向の全長に亘って形成されている。
【００２２】
また、この施工例では壁１の開口部２を閉塞するための板状の閉塞部材１００に本発明の開口枠Ａを取り付けてから施工する。すなわち、外枠材４と内枠材５との間に閉塞部材１００を介在させた状態で上記のように外枠材４と内枠材５と断熱材６とを一体化することによって、閉塞部材１００の周囲を囲うようにして開口枠Ａを取り付けることができる。ここで、閉塞部材１００としてはスペーサ７０を介して二枚のガラス板７１、７１を接合して形成される断熱ガラス（ペアーガラス）を例示することができるが、これに限らず、一枚のガラス板などの板状の部材であればよい。
【００２３】
上記のようにして閉塞部材１００の周囲に開口枠Ａを取り付けると、閉塞部材１００の上部は外枠材４の上部係止片２５と内枠材５の上押縁４６との間に位置する。そして、上部係止片２５の屋外面にはガスケット７２を接着剤７３等で貼り付けると共にガスケット７２の下端部を上方に折り返して上部係止片２５と閉塞部材１００の屋外面上部との間に挿入して接着する。また、外枠材４の屋外上部本体２３の屋外側には化粧シール材７４を充填すると共に内枠材５の上押縁４６と閉塞部材１００の屋内面上部との間には水密シール材７５を充填するものである。
【００２４】
また、上記のようにして閉塞部材１００の周囲に開口枠Ａを取り付けると、閉塞部材１００の下部は外枠材４の下部係止片２７と内枠材５の下押縁５０との間に位置する。また、閉塞部材１００の下端面と外枠材４の屋外下部本体２６及び内枠材５の屋内下部本体４７との間にはブロック体７６を介在させるようにする。そして、下部係止片２７と覆い片２８を跨ぐようにして外枠材４の屋外面に鋼板等で形成される共板７７を接着剤７８等で貼り付ける。共板７７はめっき鋼板で形成される外枠材４の露出を防止して耐候性を向上させる作用及びパネル７の上部を覆って化粧するための化粧板の作用などを有するものである。また、共板７７の上部屋外面にはガスケット７２を接着剤７３等で貼り付けると共にガスケット７２の上端部を下方に折り返して下部係止片２７と閉塞部材１００の屋外面下部との間に挿入して接着する。また、内枠材５の下押縁５０と閉塞部材１００の屋内面下部との間には水密シール材７５を充填するものである。尚、共板７７と外枠材４の屋外下部本体２６との間の空間は排水口２９と連通する排水経路９８として形成されるものである。
【００２５】
また、上記のようにして閉塞部材１００の周囲に開口枠Ａを取り付けると、閉塞部材１００の側部は外枠材４の側部係止片３１と内枠材５の側部押縁５３との間に位置する。そして、側部係止片３１の屋外面にガスケット７２を接着剤７３等で貼り付けると共にガスケット７２の内側端部を外方に向かって折り返して側部係止片３１と閉塞部材１００の屋外面側部との間に挿入して接着する。また、内枠材５の側部押縁５３と閉塞部材１００の屋内面側部との間には水密シール材７５を充填するものである。尚、ガスケット７２の外側端部は屋外側部本体３０の外面に沿うように曲げられるが、この時、排水孔８０を塞がないようにする。
また、ガスケット７２は閉塞部材１００の屋外側面に密着するものである。
【００２６】
上記のようにして閉塞部材１００に開口枠Ａを取り付けた後、この閉塞部材１００をパネル７の上側に配設する。開口枠Ａを取り付けた閉塞部材１００の下側に位置するパネル７は水平胴縁等の建物の構造材８１の屋外側面にテクス等の固定具１０１で固定されており、このパネル７の上方から閉塞部材１００に取り付けた開口枠Ａを近づけ、開口枠Ａの下端に形成される嵌合凹部１１を上記パネル７の上端の嵌合凸部１０に嵌合する。ここで、パネル７の嵌合凸部１０の上端面と開口枠Ａの屋外下部本体２６及び屋内下部本体４７との間にはパッキン８２が介在される。
【００２７】
上記のようにしてパネル７の上側に開口枠Ａを取り付けた閉塞部材１００を配置した後、開口枠Ａの下取着部４８ａを上記パネル７を取り付けた構造材８１の上面に固定する。この時、下取着部４８ａと構造材８１との間にはレベル調整のためのスペーサ８３を介在させる。また、下取着部４８ａの上面からスペーサ８３を貫通して構造材８１にまでテクス等の固定具１０２を打入することによって、開口枠Ａの下部を構造材８１に固定する。次に、構造材８１に固定した下取着部４８ａにその上面を覆うようにして額縁８４を取り付ける。
【００２８】
一方、開口枠Ａの上取着部４５ａは上記の構造材８１よりも上側に位置する他の水平胴縁等の構造材８５の下面に固定する。この時、上取着部４５ａとこれを固定する構造材８５との間にはレベル調整のためのスペーサ８６を介在させる。また、上取着部４５ａの下面からスペーサ８６を貫通して構造材８５にまでテクス等の固定具１０３を打入することによって、開口枠Ａの上部を構造材８５に固定する。次に、構造材８５に固定した上取着部４５ａにその下面を覆うようにして他の額縁８７を取り付ける。
【００２９】
さらに、開口枠Ａの屋内側部本体５１にその外面を覆うようにして他の額縁８８を取り付ける。上記の額縁８４、８７、８８は窓まわりの内装材となるものである。
【００３０】
上記のようにして開口枠Ａを取り付けた閉塞部材１００をパネル７の上側に配設した後、他のパネル７′を開口枠Ａの上側に配設する。この時、開口枠Ａの上方から上記パネル７′を近づけ、パネル７′の下端に形成される嵌合凹部８を上記開口枠Ａの上端の嵌合凸部９に嵌合する。ここで、開口枠Ａの嵌合凸部９の上端面とその上側のパネル７′の嵌合凹部８の底面との間にはパッキン９２が介在される。この後、上記のパネル７′はその上端が開口枠Ａの上取着部４５ａを固定した構造材８５よりもさらに上側にある他の構造材にテクス等の固定具で固定される。
【００３１】
また、上記のようにして上下のパネル７、７′の間に配設された開口枠Ａの側方には他のパネル７″が配設される。このパネル７″は建物の垂直胴縁９０の前側（屋外側）に配設されるが、この時、開口枠Ａとその側方のパネル７との間には目地９４が形成され、この目地９４にはシール材９５が充填される。シール材９５は開口枠Ａの屋外突出部３２とパネル７″の側端部に突設された突片１０４とに接着剤９６で接着されて支持されるものである。また、この目地９４は排水孔８０から排出される水を通して排水する部分となる。
【００３２】
さらに、パネル７″と垂直胴縁９０の間には厚み０．８ｍｍ程度の塞ぎ板（フラッシング）８９が取り付けられる。この塞ぎ板８９は上記のシール材９５に割れ等が発生した場合に浸入した雨水が室内側に漏れないようにするためのものである。塞ぎ板８９の先端はパネル７″と垂直胴縁９０の間から突出して額縁８８の屋外側面に当接しているが、この塞ぎ板８９の先端と屋内側部本体５１の外面との間には捨てシール材９１が設けられており、これにより、塞ぎ板８９と開口枠Ａとが捨てシール材９１でつなげられることになって、一次排水経路である目地９４の屋内側に二次排水経路１０５が形成される。
【００３３】
このようにして図４に示すように、複数枚のパネル７、７′、７″で形成される壁１の開口部２に閉塞部材１００を取り付けることができる。
【００３４】
次に、施工方法の他例として、多数枚のパネル７（７′、７″を含む）を順次縦横に並設して壁１を形成していく途中で本発明の開口枠Ａのみを施工し、この後、施工された開口枠Ａに閉塞部材１００を取り付ける場合について説明する。
この場合は、閉塞部材１００は屋内側からの施工で取り付けることができる。
【００３５】
まず、パネル７の嵌合凹部８とこれに隣接する他のパネル７の嵌合凸部１０とを嵌合することによって、上下に隣接する二枚のパネル７、７を接続しながら複数枚の複数枚のパネル７を縦横に並設して壁１を形成していくが、この時、壁１の開口部２となる箇所には本発明の開口枠Ａが配設される。各パネル７は上記と同様にして固定具１０１等により構造材８１や垂直胴縁９０に取り付けられて固定される。また、施工する際に開口枠Ａには閉塞部材１００が保持されておらず、さらに、この開口枠Ａには上押縁４６と下押縁５０と側部押縁５３及び水密シール材７５も設けていない状態である。閉塞部材１００及び上押縁４６と下押縁５０と側部押縁５３並びに水密シール材７５以外の部材、すなわち、ガスケット７２、化粧シール材７４、共板７７、断熱材６等は上記と同様にして開口枠Ａに取り付けられている。また、上記と同様にして開口枠Ａの嵌合凸部９は開口部２に臨むパネル７′の下端の嵌合凹部８に嵌合されると共に上記と同様にして開口枠Ａの嵌合凹部１１は開口部２に臨むパネル７の上端の嵌合凸部１０に嵌合される。また、パッキン８２、９２も上記と同様にして嵌合凹部８、１１内に配設されている。そして、上記の開口枠Ａを開口部２に嵌め込んだ状態で、上記と同様にして開口枠Ａの上取着部４５ａと下取着部４８ａとを構造材８１、８５に固定具１０２、１０３で取り付けることによって、開口枠Ａを開口部２に固定する。
【００３６】
次に、開口部２に取り付けられた上記開口枠Ａに閉塞部材１００を屋内側から嵌め込む。この時、閉塞部材１００の下端面と外枠材４の屋外下部本体２６及び内枠材５の屋内下部本体４７との間にはブロック体７６を介在させるようにする。また、閉塞部材１００の屋外側面には上記と同様にガスケット７２が密着する。
【００３７】
この後、上押縁４６と下押縁５０と側部押縁５３とを上記と同様にして内枠材５に取り付けると共に上記と同様にして水密シール材７５を上押縁４６、下押縁５０、側部押縁５３と閉塞部材１００との間に充填する。さらに、上記と同様にして額縁８４、８７、８８及びシール材９５等を取り付けることによって、図１〜４に示すように、複数枚のパネル７で形成される壁１の開口部２に閉塞部材１００を取り付けることができる。
【００３８】
上記では本発明の開口枠Ａを用いて開閉不能な窓等を形成する場合について説明したが、これに限らず、開閉可能な窓等を形成することもできる。開閉可能な窓を形成する場合は、上記の閉塞部材１００として断熱サッシを用いることができる。断熱サッシとしては図５に示すように、サッシ枠１１０の内側に二枚の引き違い戸１１１を設けたものを例示することができるが、これに限定されるものではない。
【００３９】
そして、サッシ枠１１０の上部を外枠材４の上部係止片２５と内枠材５の上押縁４６とで屋内外から挟持すると共にサッシ枠１１０の下部を外枠材４の下部係止片２７と内枠材５の下押縁５０とで屋内外から挟持することによって、上記と同様にして断熱サッシを本発明の開口枠Ａで壁１の開口部２に取り付けることができるものである。
【００４０】
【発明の効果】
上記のように本発明の請求項１の発明は、壁の開口部の屋外側に配置される外枠材と開口部の屋内側に配置される内枠材とで枠体を構成し、外枠材と内枠材との間隙に保持される断熱材とを備えて成ることを特徴とするものであり、枠体を通じて熱が壁の屋内外に出入りするのを断熱材によって少なくすることができ、断熱ガラスや断熱パネルなどともに断熱性の高い壁を形成することができるものである。
【００４１】
また本発明の請求項２の発明は、凹凸嵌合により接続される複数枚のパネルを並べて上記の壁を形成すると共に一部の隣り合うパネルを間隔をおいて配置することによって上記の開口部を形成し、開口部に臨むパネルに嵌合するための嵌合凸部乃至嵌合凹部を枠体に設けて成ることを特徴とするものであり、パネルに嵌合凸部乃至嵌合凹部を嵌合することによって、パネルに対して枠体を接続してその取付強度を高めることができ、壁から脱落しにくくすることができるものである。
【００４２】
本発明の請求項３の発明は、外枠材と内枠材をめっき鋼板で形成して成ることを特徴とするものであり、アルミニウム製の開口枠に比べて材料費が安くて容易に製造することができ、製造コストを抑えることができるものである。
【図面の簡単な説明】
【図１】本発明の実施の形態の一例を示す下部の断面図である。
【図２】同上の上部の断面図である。
【図３】同上の側部の断面図である。
【図４】同上の一部の正面図である。
【図５】同上の他の実施の形態の一例を示す概略の断面図である。
【符号の説明】
１  壁
２  開口部
３  枠体
４  外枠材
５  内枠材
６  断熱材
７  パネル
９  嵌合凸部
１１  嵌合凹部
Ａ  開口枠
【図１】
2004218382.tif 000003
【図２】
2004218382.tif 000004
【図３】
2004218382.tif 000005
【図４】
2004218382.tif 000006
【図５】
2004218382.tif 000007